(57)【要約】【課題】容器を順次重ねて生育を進行させる栽培方法において、上側の容器等の重さによって下側の容器内部の用土に加わる圧力を軽減させ、かつ、根切り作業に要する労力を軽減させる。【解決手段】植物の栽培に用いる植物栽培用容器（例えば植木鉢１０）は、上面が開口し、底壁部（例えば底壁部１６）には、上下方向に複数の孔（例えば孔１１）が形成され、かつ、この複数の孔と略垂直に交わる根切り孔（例えば根切り孔１５）が形成され、側壁部（例えば側壁部１２）に、上側から重ねられた他の容器を支持するための支持部（例えば棚部１３）が形成されたことを特徴とする。これにより容器内部の用土に加わる圧力を軽減させることができるとともに、根切り作業が容易となる。また、根切り作業を行うことによって、用土から吸収した硝酸イオンなどの化学成分を消化し、化学成分の含有量が少ない安全性の高い植物を得ることも可能となる。【選択図】図３
2010166854.tif 000002
【特許請求の範囲】
【請求項１】
植物の栽培に用いる植物栽培用容器であって、
上面が開口し、
底壁部には、上下方向に複数の孔が形成され、かつ、前記複数の孔と略垂直に交差する根切り孔が形成され、
側壁部に、上側から重ねられた他の容器を支持するための支持部が形成された
ことを特徴とする植物栽培用容器。
【請求項２】
前記底壁部は、前記複数の孔を通る根を切断する切断手段を備える
請求項１記載の植物栽培用容器。
【請求項３】
前記側壁部は、底壁部から所定の高さまでが厚肉部で、所定の高さから上端までが薄肉部の２段構造であり、
前記支持部は、前記厚肉部と前記薄肉部との厚み差により形成される棚部である
請求項１または請求項２記載の植物栽培用容器。
【請求項４】
前記側壁部の内側には、側壁部の上面から前記厚肉部の内壁に至る側壁溝が形成され、
前記側壁溝は、前記他の容器が前記棚部により支持されているときに、外部から内部に通じる空隙部となる
請求項３記載の植物栽培用容器。
【請求項５】
前記底壁部には、少なくとも1つの底壁溝が形成され、
前記底壁溝は、下側に位置した他の容器により支持されているときに、外部から下側の容器内部に通じる空隙部となる
請求項１から請求項４のうちいずれか１項に記載の植物栽培用容器。
【請求項６】
植物の栽培方法であって、
栽培対象とする植物の生育段階を２以上の段階に分類し、
上面が開口し、底壁部には、上下方向に複数の孔が形成され、かつ、前記複数の孔と略垂直方向に交わる根切り孔が形成され、側壁部に、上側から重ねられた他の容器を支持するための支持部が形成された植物栽培用の容器を、複数個用意し、
前記容器の１つに、第１生育段階に応じた肥料を混合した用土を充填し、
前記第１生育段階に応じた肥料が混合された用土が充填された前記容器を第１生育段階用容器として、植物の種若しくは苗を植え付け、
前記種若しくは苗の成長が第２生育段階に至ったときに、
前記容器の１つに、第２生育段階に応じた用土を、前記支持部が他の容器を支持する高さ付近まで充填し、
前記第１生育段階用容器を、前記第２生育段階用の用土が充填された第２生育段階用容器に形成されている支持部により支持させることで、前記第２生育段階用容器の上側に重ね合わせ、
以後、前記栽培対象とする植物の成長に応じて、最下部の容器を、次の生育段階に応じた用土が前記支持部が他の容器を支持する高さ付近まで充填された容器に形成された支持部により支持させて、容器の上側に重ね合わせ、
前記栽培対象とする植物が特定の条件を満たしたときには、前記根切り孔を通る前記栽培対象とする植物の根を切断し、少なくとも前記第１育成段階用容器を含む上段に位置した前記容器を下段に位置した容器から外して、生育を進行させる
ことを特徴とする植物の栽培方法。
【発明の詳細な説明】
【技術分野】
【０００１】
本発明は、植物栽培用容器および植物栽培用容器を用いた植物の栽培方法に関する。
【背景技術】
【０００２】
従来から、鉢やプランター等の容器を用いた野菜等の栽培方法として、多くの方法が提案されている。本願に係る発明をした者の１人が先に出願し、登録された栽培方法もその１つである（特許文献１）。これは、鉢やプランター等、上面が開口し、下面に連通孔を有する容器を複数個用いるもので、複数の容器の開口部が、それぞれ異なる大きさであり、それらに、栽培対象とする野菜等の生育段階に応じた肥料を混合せしめた用土を詰め、順次重ね合わせながら生育を進行させる栽培方法であり、それなりの良い結果を得ることができた。
【０００３】
また、特許文献１においては、積み重ねた容器のうち、下段に位置する容器を外して根切りなどの処置を行うことにより、最終的に一段の鉢で植物を栽培することや、栽培途中に樹勢が弱くなった場合に、下段に位置する容器を外して、根切りなどを行い、外した容器内に充填された用土を交換して再び生育を進行させるという概念が開示されている。
【先行技術文献】
【特許文献】
【０００４】
【特許文献１】特許２７４４２１０号公報
【発明の概要】
【発明が解決しようとする課題】
【０００５】
しかしながら、上述した栽培方法では、容器を重ねるほど、下に位置した容器内部の用土に圧力がかかり、根の成長を阻害してしまうという問題があった。
【０００６】
また、上述した栽培方法では、上段に位置した容器を持ち上げてから根切りを行う必要があるため、その作業は煩わしく、困難であるという問題があった。
【０００７】
本発明は、上記の問題を解決すべく、容器を順次重ね合わせながら生育を進行させる栽培方法において、容器を複数重ねても、上側に位置した容器及びその内部の重さによって下側に位置した容器内部の用土に加わる圧力を軽減させることができ、かつ、根切り作業に要する労力を軽減させることができるようにすることを目的とする。
【課題を解決するための手段】
【０００８】
本発明の植物栽培用容器は、植物の栽培に用いる植物栽培用容器であって、上面が開口し、底壁部には、上下方向に複数の孔が形成され、かつ、前記複数の孔と略垂直方向に交わる根切り孔が形成され、側壁部に、上側から重ねられた他の容器を支持するための支持部が形成されたことを特徴とする。
【０００９】
上記の構成としたことで、容器を順次重ね合わせながら生育を進行させる栽培方法において、容器を複数重ねても、上側に位置した容器及びその内部の重さによって下側に位置した容器内部の用土に加わる圧力を軽減させることができ、かつ、根切り作業に要する労力を軽減させることができるようになる。
【００１０】
すなわち、根切り孔を利用して植物の根切りを行うことができるので、上段に位置した容器を持ち上げることなく栽培対象となる植物の根切り作業を行い、下段に位置した容器から外すことができるようになる。
【００１１】
前記底壁部は、前記複数の孔を通る根を切断する切断手段を備える構成とされていてもよい。
【００１２】
前記側壁部は、底壁部から所定の高さまでが厚肉部で、所定の高さから上端までが薄肉部の２段構造であり、前記支持部は、前記厚肉部と前記薄肉部との厚み差により形成される棚部である構成とされていてもよい。
【００１３】
前記側壁部の内側には、側壁部の上面から前記厚肉部の内壁に至る側壁溝が形成され、  前記側壁溝は、前記他の容器が前記棚部により支持されているときに、外部から内部に通じる空隙部となる構成とされていてもよい。
【００１４】
前記底壁部には、少なくとも1つの底壁溝が形成され、前記底壁溝は、下側に位置した他の容器により支持されているときに、外部から下側の容器内部に通じる空隙部となる構成とされていてもよい。
【００１５】
また、本発明の植物の栽培方法は、植物の栽培方法であって、栽培対象とする植物の生育段階を２以上の段階に分類し、上面が開口し、底壁部には、上下方向に複数の孔が形成され、かつ、前記複数の孔の全てと略垂直方向に交わる根切り孔が形成され、側壁部に、上側から重ねられた他の容器を支持するための支持部が形成された植物栽培用の容器を、複数個用意し、前記容器の１つに、第１生育段階に応じた肥料を混合した用土を充填し、前記第１生育段階に応じた肥料が混合された用土が充填された前記容器を第１生育段階用容器として、植物の種若しくは苗を植え付け、前記種若しくは苗の成長が第２生育段階に至ったときに、前記容器の１つに、第２生育段階に応じた用土を、前記支持部が他の容器を支持する高さ付近まで充填し、前記第１生育段階用容器を、前記第２生育段階用の用土が充填された第２生育段階用容器に形成されている支持部により支持させることで、前記第２生育段階用容器の上側に重ね合わせ、以後、前記栽培対象とする植物の成長に応じて、最下部の容器を、次の生育段階に応じた用土が前記支持部が他の容器を支持する高さ付近まで充填された容器に形成された支持部により支持させて、容器の上側に重ね合わせ、前記栽培対象とする植物が特定の条件を満たしたときには、前記根切り孔を通る前記栽培対象とする植物の根を切断し、少なくとも前記第１育成段階用容器を含む上段に位置した前記容器を下段に位置した容器から外して、生育を進行させることを特徴とする。
【発明の効果】
【００１６】
本発明によれば、容器を順次重ね合わせながら生育を進行させる栽培方法において、容器を複数重ねても、上側に位置した容器及びその内部の重さによって下側に位置した容器内部の用土に加わる圧力を軽減させることができ、かつ、根切り作業に要する労力を軽減させることができるようになる。
【図面の簡単な説明】
【００１７】
【図１】本発明に係る植物栽培用容器の一実施の形態を示す断面図である。
【図２】図１の栽培用容器に用土を充填し、野菜の苗を植生した状態を示す断面図である。
【図３】本発明の植物の栽培方法の実施の形態を示す断面図である。
【図４】本発明の植物の栽培方法の実施の形態を示す断面図である。
【図５】他の実施の形態を示す断面図である。
【図６】他の実施の形態を示す断面図である。
【図７】他の実施の形態を示す断面図である。
【図８】他の実施の形態を示す断面図である。
【図９】他の実施の形態を示す断面図である。
【発明を実施するための形態】
【００１８】
以下、本発明の一実施の形態について図面を参照して説明する。
【００１９】
図１は、本発明の一実施の形態を示す植木鉢１０の断面図である。図１に示すように、植木鉢１０は、底壁部分を成す底壁部１６と、底壁部１６から所定の高さまでが厚肉部で、所定の高さから上端までが薄肉部の２段階構造である側壁部１２とを有する。底壁部１６には、垂直方向（上下方向）に貫通する複数の孔１１と、複数の孔１１と略垂直に交差し、水平方向にスリット状に形成された根切り孔１５とが設けられている。
【００２０】
孔１１は、植木鉢１０が植物の栽培に使用されたときに、植物の根が植木鉢１０の内部から外部へ伸びていけるように形成されている。根切り孔１５は、例えば市販の鋏を用いて、植木鉢１０の外部から孔１１を通る根を切断できるように形成されている。
【００２１】
側壁部１２は、前記厚肉部と前記薄肉部との厚み差により形成される棚部１３を有する。ここで、側壁部１２は、棚部１３が上側から重ねられた他の植木鉢１０を支持する際に、重ねられた他の植木鉢１０の根切り孔１５が隠れないように形成されているものとする。
【００２２】
次に、植木鉢１０を使用して行う栽培方法を説明する。本実施例においては、植木鉢１０を３個（植木鉢１０Ａ、植木鉢１０Ｂ、植木鉢１０Ｃ）使用する場合を例にして説明を行う。なお、使用する容器の大きさ等は、棚部１３により他の容器を支持できることを条件に選択する。
【００２３】
次に、植木鉢１０を使用して行う栽培方法を説明する。本実施例においては、植木鉢１０を３個（植木鉢１０Ａ、植木鉢１０Ｂ、植木鉢１０Ｃ）使用する場合を例にして説明を行う。なお、使用する容器の大きさ等は、棚部１３により他の容器を支持できることを条件に選択する。本例においては、側壁部１２が段階的に厚みを増すように３個の植木鉢１０を選択した（図３参照）。
【００２４】
先ず、栽培対象となる植物の生育段階を、複数の段階に分ける。本例においては、栽培対象として市販のナスの苗を用いて、この状態からのナスの生育段階を第１から第３生育段階に分類した。なお、ナスの根が植木鉢１０Ａ内の用土に十分に着根するまでを「第１生育段階」とし、その後ナスの根が植木鉢１０Ｂの内部にまで伸びるまでを「第２生育段階」とし、それ以降を「第３生育段階」とした。なお、ナスは野菜の中でも根が深く生長する種類のものである。
【００２５】
次に、図２に示すように、植木鉢１０Ａに、第１生育段階に適した用土１４ａを充填し、ナスの苗を植える。本例において用土１４ａは、赤土、堆肥、過燐酸石灰、化成肥料、その他を混合したものを使用した。なお、用土１４ａは、棚部１３ａの位置よりも高い位置まで充填されてもよい。なお、ナスの苗を最初に植える容器は棚部１３を有さなくてもよい。
【００２６】
用土１４ａの中にナスの根が十分に着根したら、植木鉢１０Ｂの棚部１３ｂより若干高い位置まで第２生育段階に適した用土１４ｂを充填し、植木鉢１０Ａを植木鉢１０Ｂの上側に重ね合わせる（図３参照）。このとき、植木鉢１０Ａの底面を棚部１３ｂに位置合わせすることにより、植木鉢１０Ａを棚部１３ｂにより支持させる。植木鉢１０Ａを棚部１３ｂにより支持させることで、用土１４ｂに過大な圧力がかからないようにすることができる。なお、本例において用土１４ｂは、赤土、堆肥、過燐酸石灰、化成肥料、その他を混合したものを使用した。
【００２７】
さらに、ナスの根が用土１４ｂにまで達したら、植木鉢１０Ｃの棚部１３ｃより若干高い位置まで第３生育段階に適した用土１４ｃを充填し、植木鉢１０Ｂを植木鉢１０Ｃの上側に重ね合わせる（図３参照）。このとき、植木鉢１０Ｂの底面を棚部１３ｃに位置合わせすることにより、植木鉢１０Ｂ（植木鉢１０Ｂに重ね合わされた植木鉢１０Ａも。）を棚部１３ｃにより支持させる。本例において用土１４ｃは、赤土、堆肥、過燐酸石灰、化成肥料、その他を用土１４ｂとは異なる割合で混合したものを使用した。図３は、上記のようにして積み重ねられた状態の植木鉢１０Ａ，１０Ｂ，１０Ｃの断面の例を示す断面図である。図３に示すように、一番下に位置した植木鉢１０Ｃの棚部１３ｃが、重ね合わされた他の植木鉢（１０Ａ、１０Ｂ）を支持しているので、用土１４ｃには大きな圧力がかからないようになっている。なお、各植木鉢に充填される用土の上面と植木鉢の底面との間に空間を設ける構造としてもよい。
【００２８】
さらに、図４（Ａ）に示すようにナスの根が用土１４ｃにまで達し、ナスが、収穫するのに十分に生育した状態になったら、根切り孔１５ａを利用して根切りを行い、図４（Ｂ）に示すように植木鉢１０Ａを植木鉢１０Ｂから外す。このとき、上述したように根切り孔１５ａは、例えば市販の鋏を用いて、植木鉢１０Ａの外部から孔１１ａを通る根を切断できるように形成されているので、根切りの際に植木鉢１０Ａを持ち上げる必要がない。
【００２９】
本発明を実施して根切り作業（ナスやトマトなどの果菜類における栽培終了前の植木鉢１０Ａと用土１４ｂとの分離作業）を行ったときの作業時間（秒）を試験区として、根切り孔１５ａを有しない従来の構造の各植木鉢において根切り作業を行ったときの作業時間（秒）を対象区として表１に示す。表１に示されているように、根切り作業の作業時間を短縮することが可能となり、根切り作業の労力を大幅に軽減することができるようになる。
【００３０】
【表１】
2010166854.tif 000003
【００３１】
また、本発明を実施して生育したサニーレタスにおいて根切り作業を行って１週間が経過したときの化学成分（硝酸イオン）含有量（ｍｇ／ｋｇ野菜重量）を試験区として、根切りを行う前のサニーレタスの化学成分（硝酸イオン）含有量（ｍｇ／ｋｇ野菜重量）を対象区として表２に示す。表２に示されているように、サニーレタスが用土から吸収した硝酸イオンなどの化学成分が消化され、化学成分の含有量が少ない安全性の高いサニーレタスとなる。すなわち、根切り作業を行うことによって、低硝酸野菜（サニーレタスに限らず、他の葉菜（葉野菜）や果菜などであってもよい）を栽培することが可能となる。
【００３２】
【表２】
2010166854.tif 000004
【００３３】
以上に説明したように、上述した一実施の形態では、植物の栽培に用いる植物栽培用容器（例えば植木鉢１０）は、上面が開口し、底壁部（例えば底壁部１６）には、上下方向に複数の孔（例えば孔１１）が形成され、かつ、複数の孔全てと略垂直に交わる根切り孔（例えば根切り孔１５）が形成され、側壁部（例えば側壁部１２）に、上側から重ねられた他の容器を支持するための支持部（例えば棚部１３）が形成されたことを特徴とする構造としているので、容器を複数重ねても、上側に位置した容器及びその内部の重さによって下側に位置した容器内部の用土（例えば用土１４ｂ、用土１４ｃ）に加わる圧力を軽減させることができ、かつ、容器を複数重ねるような栽培方法において、根切り作業に要する労力を軽減させることができるようになる。
【００３４】
すなわち、根切り孔を利用して植物の根切りを行うことができるので、上段に位置した容器を持ち上げることなく栽培対象となる植物の根切り作業を行い、下段に位置した容器から外すことができるようになる。
【００３５】
また、上述した実施の形態では、側壁部が、底壁部から所定の高さまでが厚肉部で、所定の高さから上端までが薄肉部の２段構造であり、厚肉部と薄肉部により形成される棚部（例えば棚部１３）により他の容器を支持する構造としたので、単純な構造で、容器を重ねたときに、下側に位置した容器内部の用土に加わる圧力が過大になることを防ぐことができる。
【００３６】
また、上述した実施の形態では、植物の栽培方法であって、栽培対象とする植物（例えばナス）の生育段階を２以上の段階に分類し、上面が開口し、底壁部には、上下方向に複数の孔（例えば孔１１）が形成され、かつ、複数の孔（例えば、孔の全て）と略垂直に交わる根切り孔（例えば根切り孔１５）が形成され（なお、孔の一部を交わる根切り孔を複数形成し、複数の根切り孔によって複数の孔の全てをカバーするようにしてもよい）、側壁部（例えば側壁部１２）に、上側から重ねられた他の容器を支持するための支持部（例えば棚部１３）が形成された植物栽培用の容器（例えば植木鉢１０）を、複数個用意し（例えば植木鉢１０Ａ〜１０Ｃ）、容器の１つ（例えば植木鉢１０Ａ）に、第１生育段階に応じた肥料を混合した用土（例えば用土１４ａ）を充填し、第１生育段階に応じた肥料が混合された用土が充填された容器を第１生育段階用容器として、植物の種若しくは苗を植え付け、種若しくは苗の成長が第２生育段階に至ったときに、容器の１つ（例えば植木鉢１０Ｂ）に、第２生育段階に応じた用土（例えば用土１４ｂ）を、支持部（例えば棚部１３ｂ）が他の容器を支持する高さ付近（例えば、棚部１３ｂより若干高い位置）まで充填し、第１生育段階用容器を、第２生育段階用の用土が充填された第２生育段階用容器に形成されている支持部により支持させることで、第２生育段階用容器の上側に重ね合わせ、以後、栽培対象とする植物の成長に応じて、最下部の容器（例えば容器１０Ｂ）を、次の生育段階に応じた用土（例えば用土１４ｃ）が支持部（例えば棚部１３ｃ）が他の容器を支持する高さ付近（例えば、棚部１３ｃより若干高い位置）まで充填された容器（例えば容器１０Ｃ）に形成された支持部（例えば棚部１３ｃ）により支持させて、容器（例えば容器１０Ｃ）の上側に重ね合わせ、栽培対象とする植物が特定の条件を満たしたとき（例えば収穫するのに十分に生育した状態になったとき）には、根切り孔を通る栽培対象とする植物の根を切断し、少なくとも第１育成段階用容器を含む上段に位置した容器を下段に位置した容器から外して、生育を進行させることを特徴とする構成としたので、栽培対象の生育段階に合わせた用土を必要なだけ使用することができ、かつ、容器を複数積み重ねても、最下部の容器に充填された用土が過度に圧迫されて栽培対象の生育を阻害することがない。さらに、このような栽培方法を用いても、根切り作業に要する労力を軽減させることができる。
【００３７】
なお、上述した実施の形態では、第１生育段階用容器以外の容器には、支持部が他の容器を支持する高さより若干高い高さまで用土を充填しているので、下側に位置した容器に充填された用土の上面と、上側に位置した容器の底面とが密着した状態で、下側に位置した容器に形成された支持部により上側に位置した容器が支持されることとなる。
【００３８】
なお、栽培対象となる植物の性質によっては、支持部が他の容器を支持する高さより低い高さまで用土を充填し、下側に位置した容器に充填された用土の上面と、上側に位置した容器の底面との間に隙間ができる状態で、下側に位置した容器に形成された支持部により上側に位置した容器が支持されるようにしてもよい。
【００３９】
なお、上述した実施の形態では特に言及していないが、図５（Ａ）と図５（Ｂ）に示すように、側壁部１２ｂの内側には、側壁部１２ｂの上面から側壁部１２ｂの厚肉部の内壁に至る溝（側壁溝１７ｂ）が形成され、例えば容器１０Ａが棚部１３ｂにより支持されているときに、外部から容器１０Ｂの内部、すなわち用土１４ｂに通じる空隙部となる構造としても良い。上記の構造とすることで、嫌気状態における根ぐされ防止のための根への酸素供給方法を確保できるとともに、他の容器が重ねられた容器に充填された用土へ直接追肥や水遣りを行うことが可能となる。
【００４０】
なお、上述した実施の形態では特に言及していないが、底壁部１６に、少なくとも1つの溝（底壁溝）が形成された構造とされていてもよい。このような構造とすることで、嫌気状態における根ぐされ防止のための根への酸素供給方法を確保できるとともに、他の容器が重ねられた容器に充填された用土へ直接追肥や水遣りを行うことが可能となる。
【００４１】
また、植木鉢１０は、底壁部１６に、上下方向の複数の孔１１を通る根（例えばナスの根）を切断する切断手段を備えた構成とされていてもよい。この場合、例えば、底壁部１６に根切り刃１８を備える構成とすればよい。このような構造とすることで、根切りを行う際に利用できる方法の選択肢が増え、根切りの作業効率を向上させることができるようになる。
【００４２】
以下、根切り刃１８を用いた植物の根の切断手段について、図面を参照して説明する。
【００４３】
図６は、根切り孔１５に、根切り刃１８を備えた根切り部１９が設けられた植木鉢１０の例を示す断面図である。図６に示すように、根切り部１９には、底壁部１６における孔１１の配設箇所に合わせて根切り刃１８が形成されているものとする。さらに、根切り部１９は、植木鉢１０の外部から水平方向に移動させたり、回転させたりすることが可能となるように形成されているものとする。このような構造とすることで、根切り部１９を動かすことにより、孔１１を通る植物の根を切断することが可能となる。
【００４４】
なお、図７に示すように根切り部１９は、根切り孔１５の位置と重ならない位置に設けられた構造としてもよく、更に、留め具２０を設けることにより、使用者の意に反して根切りが行われることを防止できるような構造としてもよい。
【００４５】
また、図８に示すように、根切り刃１８を、孔１１の外縁に設ける構造としてもよい。このような構造とすることで、植木鉢１０を回転させることにより根切りを行うことが可能となる。この場合、根切りに必要な労力を軽減させるために、側壁部１２と底壁部１６の一方が固定され、一方が回転可能となるような構造としてもよい。
【００４６】
なお、根切り刃１８による根切りに必要な力を軽減させるために、孔１１を底壁部１６の外縁方向に偏らせて配設した構造としてもよい。すなわち、植木鉢１０を回転させたとき、てこの原理より、底壁部１６の中心側に位置する根切り刃１８よりも、底壁部１６の外縁側に位置する根切り刃１８の方に大きな力が作用することを利用できる。
【００４７】
なお、上述した実施の形態では、側壁部１２が段階的に厚みを増すように３個の植木鉢１０を選択したが、全く同じサイズの植木鉢１０を３個使用して本発明を実施することもできる。図９は、同じサイズの植木鉢１０が積み重ねられた状態の断面の例を示す断面図である。この場合、植物栽培用容器（例えば植木鉢１０）を複数用意するときに、複数形態の植木鉢を用意する必要がないので有用である。
【００４８】
ただし、植物栽培用容器を多数積上げる場合には、容器全体のバランスや、下段に位置する容器にかかる荷重を考慮し、例えば支持部（例えば棚部１３）が段階的に厚みを増すように植物栽培用容器を選択してもよい。
【産業上の利用可能性】
【００４９】
本発明によれば、容器を順次重ね合わせながら生育を進行させる栽培方法において、容器を複数重ねた場合に、上側に位置した容器及びその内部の重さによって下側に位置した容器内部の用土に加わる圧力を軽減させ、かつ、根切り作業に要する労力を軽減させるのに有用である。
【符号の説明】
【００５０】
１０    植木鉢  
１１    孔
１２    側壁部
１３    棚部
１４    用土
１５    根切り孔
１６    底壁部
１７ｂ  側壁溝
１８    根切り刃
１９    根切り部
【図１】
2010166854.tif 000005
【図２】
2010166854.tif 000006
【図３】
2010166854.tif 000007
【図４】
2010166854.tif 000008
【図５】
2010166854.tif 000009
【図６】
2010166854.tif 000010
【図７】
2010166854.tif 000011
【図８】
2010166854.tif 000012
【図９】
2010166854.tif 000013